(57)【要約】【課題】  色が高精度にマッチングされた表示画像像を得るための変換条件を簡単に設定できるようにすることを目的とする。【解決手段】  表示装置の色温度、表示装置の種類および照明光の種類に対応させて複数の変換条件を保持する保持手段と、表示装置の色温度、表示装置の種類および照明光の種類を選択するユーザ指示を入力する操作部と、前記選択された表示装置の色温度、前記選択された表示装置の種類および前記選択された照明光の種類に対応する変換条件を前記保持手段から選択する選択手段と、前記選択された変換条件を用いて、色データを変換する色変換手段とを有する。【選択図】  図１９
2005328563.tif 000002
【特許請求の範囲】
【請求項１】
表示装置の色温度、表示装置の種類および照明光の種類に対応させて複数の変換条件を保持する保持手段と、
表示装置の色温度、表示装置の種類および照明光の種類を選択するユーザ指示を入力する操作部と、
前記選択された表示装置の色温度、前記選択された表示装置の種類および前記選択された照明光の種類に対応する変換条件を前記保持手段から選択する選択手段と、
前記選択された変換条件を用いて、色データを変換する色変換手段とを有することを特徴とする画像処理装置。
【請求項２】
画像形成装置で得られる出力カラー画像を表示装置で確認するためにプレビュー画像データを生成する画像処理装置であって、
前記画像形成装置から前記出力カラー画像を示す該画像形成装置の出力特性に依存する濃度データを入力する入力手段と、
前記入力濃度データを輝度データに変換する変換する変換手段とを有し、
前記色変換手段は、前記輝度データを、前記選択された変換条件を用いて変換することを特徴とする請求項１記載の画像処理装置。
【請求項３】
前記変換条件は３＊３のマトリクスデータであることを特徴とする請求項１または２記載の画像処理装置。
【請求項４】
さらに、前記色変換された色データに対してガンマ処理を行うガンマ処理手段とを有することを特徴とする請求項１乃至３のいずれかに記載の画像処理装置。
【請求項５】
前記操作部には、複数の表示装置の色温度、複数の表示装置の種類、複数の照明光の種類が表示され、
前記複数の表示装置の色温度、前記複数の表示装置の種類および前記複数の照明光の種類の組み合わせのそれぞれに応じた変換条件が、前記保持手段に保持されていることを特徴とする請求項１乃至４のいずれかに記載の画像処理装置。
【請求項６】
表示装置の色温度、表示装置の種類および照明光の種類に対応させて複数の変換条件を保持する保持する保持工程と、
ユーザ指示に応じて、表示装置の色温度、表示装置の種類および照明光の種類を設定する設定工程と、
前記選択されたニタの色温度、前記選択された表示装置の種類および前記選択された照明光の種類に対応する変換条件を前記保持手段から選択する選択工程と、
前記選択された変換条件を用いて、色データを変換する色変換工程とを有することを特徴とする画像処理方法。
【発明の詳細な説明】
【技術分野】
【０００１】
本発明は、色処理を行う画像処理装置及び方法に関する。
【背景技術】
【０００２】
近年、デジタルカラー複写機の高画質化や高機能化し、出力画像の色味や編集処理に関してかなりユーザーの期待に答えられるようになってきた。こうした状況において、所望の出力画像を得る為に、何度も紙に画像を出力するかわりにＣＲＴ等に画像を表示して確認するという、いわゆるプレビュー機能を有した複写機が製品化されはじめている。
【０００３】
その中には、白黒の液晶ディスプレイを用いて読み取った原稿イメージを表示、確認する装置もあるが、本体がカラー複写機である場合は、やはり、出力画像の色味確認が出来ないので、表示装置もフルカラー表示のプレビューシステムであることが望ましい。
【０００４】
図２１はこうしたシステムの一例で、１０１〜１０９のブロックが、フルカラー複写機を構成し、１１０〜１１１、２１９がプレビュー用のブロック図である。
【０００５】
この図において、１０１は、反射原稿を読み取るＲＧＢ出力のセンサ、１０２はＳ／Ｈ及びＡ／Ｄ変換、１０３はシェーディング補正を行う回路、１０４は入力マスキング回路、１０５はＬＯＧ変換回路、１０６はプリンタの特性に色を合わせるマスキング、ＵＣＲ、１０７はトリミング、マスキング、ペイント、変倍等種々の画像編集を行う回路、１０８はエッジ強調回路、１０９はプリンタ部で、不図示の反射原稿を３〜４スキャンしてフルカラー画像出力を得るものである。
【０００６】
次に、１１０は１０４の入力マスキング後の画像信号（ＲＧＢ）を記憶する為の画像メモリー部、１１１は画像メモリー（１１０）を制御メモリー制御回路（アドレスカウンタ及び不図示のＣＰＵと画像メモリーとのやりとり）で、２１９は画像メモリー情報を表示する為のＣＲＴである。この場合、読み取った画像を単にフルカラーでＣＲＴに表示するたけで、所望の編集処理を不図示の操作部から設定してもＣＲＴ上には反映されない。
【特許文献１】特開平４−２８４７７６号公報
【発明の開示】
【発明が解決しようとする課題】
【０００７】
本発明は、色が高精度にマッチングされた表示画像像を得るための変換条件を簡単に設定できるようにすることを目的とする。
【課題を解決するための手段】
【０００８】
上記目的を達成するために、本発明は、表示装置の色温度、表示装置の種類および照明光の種類に対応させて複数の変換条件を保持する保持手段と、表示装置の色温度、表示装置の種類および照明光の種類を選択するユーザ指示を入力する操作部と、前記選択された表示装置の色温度、前記選択された表示装置の種類および前記選択された照明光の種類に対応する変換条件を前記保持手段から選択する選択手段と、前記選択された変換条件を用いて、色データを変換する色変換手段とを有することを特徴とする。
【発明の効果】
【０００９】
本願請求項１記載の発明によれば、色が高精度にマッチングされた表示画像像を得るための変換条件を簡単に設定することができる。
【発明を実施するための最良の形態】
【００１０】
（実施例１）
図１は本実施例における複写機の概観図である。
【００１１】
本実施例における複写機は、原稿の読み取り及びデジタル編集処理等を行うカラーリーダ部３５１及び複数のドラムを備え、リーダ部から送られる各色のデジタル画像信号に応じてカラー画像を再現するプリンタ部３５２に分けられる。
【００１２】
更に、デジタイザ３５０及びプレビュー表示を行うためのモニタ２１９を有する。
【００１３】
なおモニタ２１９と本体はＶＧＡインターフェイスで接続されている。
【００１４】
（プリンタ部の構成）
図１において、３０１はレーザ光を感光ドラム上に走査させるポリゴンスキャナであり、３０２は初段のマゼンタ（Ｍ）の画像形成部であり、同様の構成でシアン（Ｃ），イエロー（Ｙ），ブラック（Ｋ）の各色についての画像形成部を３０３、３０４、３０５で示す。ポリゴンスキャナ３０１はレーザ制御部によりＭＣＹＫ独立に駆動されるレーザ素子からのレーザビームを、各色の感光ドラム上に走査する。
【００１５】
画像形成部３０２において、３１８はレーザ光の露光により潜像形成する感光ドラムであり、３１３はドラム３１８上にトナー現像を行う現像器であり、現像器３１３内の３１４は現像バイアスを印加してトナー現像を行うスリーブであり、３１５は感光ドラム３１８を所望の電位に帯電させる１次帯電器であり、３１７は転写後のドラム３１８の表面を清掃するクリーナであり、３１６はクリーナ３１７で清掃されたドラム３１８の表面を除電し、１次帯電器３１５において良好な帯電を得られるようにする補助帯電器であり、３３０はドラム３１８上の残留電荷を消去する前露光ランプであり、３１９は転写ベルト３０６の背面から放電を行いドラム３１８上のトナー画像を、転写部材に転写する転写帯電器である。
【００１６】
３０９、３１０は転写部材を収納するカセットであり、３０８はカセット３０９、３１０から転写部材を供給する給紙部であり、３１１は給紙部により給紙された転写部材を転写部材に吸着させる吸着帯電器であり、３１２は転写ベルト３０６の回転に用いられると同時に吸着帯電器と対になって転写ベルト３０６に転写部材を吸着帯電させる転写ベルトローラである。
【００１７】
３２４は転写部材を転写ベルト３０６から分離し易くするための除電帯電器であり、３２５は転写部材が転写ベルトから分離する際の剥離放電による画像乱れを防止する剥離帯電器であり、３２６、３２７は分離後の転写部材上のトナーの吸着力を補い、画像乱れを防止する定着前帯電器であり、３２２、３２３は転写ベルト３０６を除電し、転写ベルト３０６を静電的に初期化するための転写ベルト除電帯電器であり、３２８は転写ベルト３０６の汚れを除去するベルトクリーナである。３０７は転写ベルト３０６から分離され、定着前帯電器３２６、３２７で再帯電された転写部材上のトナー画像を転写部材上に熱定着させる定着器である。３４０は定着器を通過する搬送路上の転写部材を検知する排紙センサである。３２９は給紙部３０８により転写ベルト上に給紙された転写部材の先端を検知する紙先端センサであり、紙先端センサからの検出信号はプリンタ部からリーダ部に送られ、リーダ部からプリンタ部にビデオ信号を送る際の副走査同期信号を生成するために用いられる。
【００１８】
（リーダー部の構成）
図２はリーダ３５１におけるデジタル画像処理部のブロック図である。
【００１９】
原稿台上のカラー原稿を露光し、得られた反射像がＣＣＤ２０１にて撮像され、更に２０２にてサンプルホールドされた後デジタル信号に変換され、ＲＧＢ三色のデジタル信号が生成される。各色分解データはシェーディング補正回路２０３にてシェーディング及び黒補正、入力マスキング回路２０４にてＣＣＤ２０１に基づく所定の色空間上のＲＧＢ信号へ補正し、色変換回路２０５にて色変換を行い、その結果を合成部２０６に入力する。２０６は反射原稿の画像データと画像メモリー部２０８の出力データとの合成等を行う部分で、その結果はＬＯＧ変換回路２０７にてＬＯＧ補正処理が、更に変倍回路２３４にて変倍処理（但し、変倍設定時）が施される。ここで、変倍処理とは、画像メモリー部２０８で施される圧縮処理がローパスフィルタとして働く為、具体的には拡大処理が施される。更に変倍回路２３４の出力は、画像メモリー部２０８に入力される。
【００２０】
画像メモリー部２０８は圧縮部、画像メモリー部、伸張部の３つで構成されている。そして、変倍２（２３４）からの入力は１系統で、マスキングＵＣＲ部２１２への出力は各ドラムの画像形成に同期して出力マスキング処理前のＣＭＹデータ（２４ビット）を出力するために４系統備えている。
【００２１】
このように、画像データの圧縮、記憶、伸張のステップが必要なのは、図１に示すような各色毎の像形成部の位置が相互にずれているプリンタの場合、ある時点において、各像形成部が必要とする画像データの画面上の位置が互いに異なるためであり、その時間的なずれを補償するための遅延手段として、記憶手段が用いられる。また、圧縮、伸張を行うのは画像データ量を減少させることにより、記憶手段の容量を小さく抑えるためである。
【００２２】
２１２はそれぞれのドラムに対する色信号が生成されるマスキングＵＣＲ部であり、プリンタ特性に適した色信号が生成される。２１３はフリーカラー処理及びペイント処理が行われる編集回路で、編集結果は、γ補正回路２１４でγ補正、変倍回路１（２１１）で変倍（具体的には縮小処理）、更にエッジ強調回路２１５でエッジ強調され、カラーＬＢＰ２１６に送られる。
【００２３】
なお、マスキンクＵＣＲ部２１２、編集回路２１３、γ補正回路２１４、変倍回路１（２１１）及びエッジ強調回路２１５は、各ドラムに対応して４系統の処理回路を有し、各ドラムの画像形成に同期して各系統独立に処理を行う。
【００２４】
２１７はプレビュー処理部であり、編集された画像データを記憶するＣＲＴ画像メモリー及び前記ＣＲＴ画像メモリーを制御するメモリー制御部より構成される。２１９はＣＲＴディスプレイであり、ＣＲＴ画像メモリのデータが表示される。
【００２５】
２２０は領域生成部１であり、主走査同期信号に基づいて生成した信号と、ＬＢＰプリンタ２１６から送られるＢＤ（２２８）のいずれか一方の信号２２９、画先センサの出力信号ＤＴＯＰ２２６、ＬＢＰプリンタ内部で生成されるＩＴＯＰ信号（プリンタ出力時、この信号に基づいて各ドラムに同期した副走査イネーブル信号が生成される）２２７、２種類の書込みイネーブル信号（主走査（２２７−１）、副走査（２２７−２））と５種類の読み出しイネーブル信号（主走査（２２７−３）、副走査（２２７−Ｍ、２２７−Ｃ、２２７−Ｙ、２２７−Ｋ））の計７種類の信号で画像メモリー部２０８内の画像メモリーを制御する信号２２１、前記２２１に同期して、画像信号とエリア信号のタイミング調整をすべく、画像メモリー部２０８内の圧縮部、伸張部それぞれのディレイを考慮して生成される信号２３８（主走査書き込みイネーブル信号２３８−１、副走査書き込みイネーブル信号２３８−２、主走査読み出しイネーブル信号２３８−３、副走査イネーブル信号（２３８−Ｍ，２３８−Ｃ，２３８−Ｙ，２３８−Ｋ））、プレビュー処理部内のＣＲＴ画像メモリのイネーブル信号２２５（主走査、副走査各１種類）を入出力する。
【００２６】
なお、画像メモリー部２０８からの画像データの読み出しを４系統独立に制御するための読み出しイネーブル信号は、画像形成時とプレビュー表示時とで異なる。
【００２７】
即ち、画像形成時は各色ドラムの画像形成に同期させ、即ち、各色ドラムの配置間隔に従って副走査イネーブル信号２２１−（Ｍ〜Ｋ）が出力される。一方、プレビュー表示時は、副走査イネーブル信号２２１−（Ｍ〜Ｋ）が同一タイミングで出力される。
【００２８】
２３０は領域生成部２であり各編集処理のためのエリア信号を生成する部分である。この部分は各エリア信号を記憶するビットマップメモリ部及びビットマップメモリを制御するビットマップメモリ制御部（例えば、ＡＧＤＣ（Ａｄｖａｎｃｅｄ  Ｄｉｓｐｌａｙ  Ｃｏｎｔｒｏｌｌｅｒ））より構成され、書き込みはＣＰＵ２４０により、一方読みだしは原稿画像のスキャンに同期した信号ＤＴＯＰ２２６、ＨＳＮＣ２２９に同期して行われる。信号２０５は色変換回路のイネーブル信号、信号２２３−２は画像合成回路のイネーブル信号、信号２３６はマスキングＵＣＲ２１２及びフリーカラーモード若しくはペイントモード等を行う編集回路２１３のイネーブル信号である。
【００２９】
エリアメモリー部２３１、遅延回路２３２（ＤＬ１）、２３３（ＤＬ２）、２３７（ＤＬ３）、変倍回路２３５（変倍３）、は画像信号とイネーブル信号を同期させるタイミング調整の為の回路として働く。
【００３０】
具体的には、遅延回路ＤＬ１は領域生成部２３０の出力信号２２３−２を色変換回路２０５の処理時間分遅らせる。画素遅延はＤタイプフリップフロップで、ライン遅延はＦＩＦＯメモリでなされる。
【００３１】
遅延回路ＤＬ２はエリアメモリ部２３１の出力信号２２６をマスキングＵＣＲ回路２２６の処理時間分遅らせる。画素遅延はＤタイプフリップフロップで、ライン遅延はＦＩＦＯメモリでなされる。
【００３２】
遅延回路ＤＬ３は領域生成部２３０の出力信号２３６を色変換回路２０５の処理時間と画像合成回路２０６の処理時間とＬＯＧ変換回路２０７の処理時間分遅らせる。画素遅延はＤタイプフリップフロップで、ライン遅延はＦＩＦＯメモリでなされる。
【００３３】
変倍回路２３５は具体的には拡大処理を行い、変倍回路２３４と全く同じ制御がなされる。（遅延数も同じ）
エリアメモリー部２３１は、画像メモリーにおける処理時間を補償し、信号２３８に基づき各色成分ごとに異なる制御信号を出力する。
【００３４】
又、２４０はＣＰＵで、ＣＰＵバス２４３を通してプログラムＲＯＭ２４１、ワークＲＡＭ２４２を制御する。上記の各回路はすべてＣＰＵバス２４３に接続されており、ＣＰＵバス２４３を通じてＣＰＵ２４０からデータセットがなされる。
【００３５】
また、操作部２４４は後述するような各種表示を行い、各種パラメータが設定できる。
【００３６】
〈各画像モードでの信号の流れ〉
図２を用いて各モードにおけるビデオ信号の流れ及びＩ／Ｏポートの設定について述べる。
【００３７】
（通常コピー）
ビデオ信号の流れは、２０１→２０２→２０３→２０４→２０５→２０６（Ａ入力→Ｃ出力）→２０７→２３４→２０８→２１２→２１３→２１４→２１１→２１５→２１６となる。
【００３８】
この時、副走査イネーブル信号２２１―（Ｍ〜Ｋ）及び２３８―（Ｍ〜Ｋ）は各色ドラムの配置間隔に従ってイネーブルになるよう制御される。
【００３９】
（ＲＧＢ系編集処理（色変換）結果をＣＲＴに表示）
ビデオ信号の流れは、２０１→２０２→２０３→２０４→２０５→２０６（Ａ入力→Ｃ出力）→２０７→２３４→２０８→２１２→２１３→２１４→２１１→２１５→２１７→２１９となる。
【００４０】
このモードの場合、画像メモリー部２０８内のメモリーに書き込まれるデータはプレビューモードでの編集内容の修正の度に書き換えられる為、ＣＲＴへの表示を行う度に原稿の読み込みが行われる（ビデオ信号の流れは上記２０１からの繰り返し）。この時、副走査リードイネーブル２２１―（Ｍ〜Ｋ）及び２３８（Ｍ〜Ｋ）は同時に立ち上がり、同時に立ち下がる。
【００４１】
プレビュー後のプリントアウトに関しては、光学スキャンは行わずに画像メモリ２０８からの読み出しのみで行う。この時、副走査イネーブル信号２２１―（Ｍ〜Ｋ）は各色ドラムの配置間隔に従ってイネーブルになるよう制御される。
【００４２】
（ＣＭＹＫ系編集処理（ペイント、フリーカラー）
結果をＣＲＴに表示）ビデオ信号の流れは、２０１→２０２→２０３→２０４→２０５→２０６（Ａ入力→Ｃ出力）→２０７→２３４→２０８→２１２→２１３→２１４→２１１→２１５→２１７→２１９となる。
【００４３】
このモードの場合、画像メモリー部２０８内のメモリに書き込まれるデータはプレビューモードでの編集内容に左右されない為、２度目以降のＣＲＴへの表示では光学スキャンは行わず、編集パラメータの変更及び画像メモリー部２０８からの読みだしのみで行う（ビデオ信号の流れは２０８からスタート）。
【００４４】
この時、副走査リードイネーブル２２１―（Ｍ〜Ｋ）及び２３８―（Ｍ〜Ｋ）は同時に立ち上がり、同時に立ち下がる。
【００４５】
プレビュー後のプリントアウトに関しては、光学スキャンは行わずに画像メモリー２０８から読み出しのみで行う。
【００４６】
この時、副走査イネーブル信号２２１―（Ｍ〜Ｋ）は各色ドラムの配置間隔に従ってイネーブルになるよう制御される。
【００４７】
（合成結果をＣＲＴに表示）
（１）．第１の画像書き込み時のビデオ信号の流れは、２０１→２０２→２０３→２０４→２０５→２０６（Ａ入力→Ｃ出力）→２０７→２０８となる。
（２）．第２の画像と合成し、２０８内の画像メモリーに再び書き込む時のビデオ信号の流れは、（２−１）．メモリの出力２０８→２１２→２１３→２１１→２１４→２１５→２０６となる。ここで、マスキンクＵＣＲ回路２１２はスルー、γ補正は逆ＬＯＧテーブルが設定される。
（２−２）．反射原稿のビデオ信号の流れは２０１→２０２→２０３→２０４→２０５→２０６となる。
（３）．合成回路の出力は、２０６→２０７→２０８（メモリー書き込み）となり、ＣＲＴ出力は、２０８→２１２→２１３→２１４→２１１→２１５→２１７→２１９となる。
【００４８】
〈各編集時の設定からプレビュー機能を用いてのプリントアウト〉
まず、全体の流れの例について図３を用いて説明する。
【００４９】
操作部（図１３）で編集処理が選択された時（Ｓ４０２）、色変換処理（Ｓ４０６）、ペイント処理（Ｓ４０７）、フリーカラー処理（Ｓ４０８）、の少なくとも一つが選択され、更にプレビュー機能等で最終パラメータがそれぞれ決定される。そのパラメータはＳ４０３で設定され、コピーボタンのＯＮに基づき（Ｓ４０４）最終出力がプリントアウトされる（Ｓ４０５）。
【００５０】
次にそれぞれの画像処理の手順について説明する。
【００５１】
（１）．色変換処理
図４のフローチャートを用いて説明する。色変換では、まず、全面色変換かエリア色変換かのいずれかが選択される（Ｓ５０１）。エリア色変換の時は続いてエリアが例えば不図示のデジタイザーを用いて設定される（Ｓ５０７）。次に変換前の色指定（Ｓ５０２）及び、変換後の色指定（Ｓ５０３）がなされ、この時点で色変換するのに必要なデータが取りあえず、決められる。Ｓ５０４でプレビュー機能が選択（例えば、プレビューボタン５０１０５を押す）されると、原稿台上に置かれた反射原稿が、読み取られ、上記ＲＧＢ系編集処理のディスプレイ（ＣＲＴ）表示の項で示された順で処理が実行され、Ｓ５０５でディスプレイ（ＣＲＴ）に表示される。オペレータにとって結果がＯＫの場合は他の編集処理の設定もしくはプリントアウトがなされ、ＮＧの場合はＯＫとなるまで再設定がなされる（Ｓ５０６）。
【００５２】
（２）．ペイント処理
図５のフローチャートを用いて説明する。ペイントでは、まず、エリアが例えば不図示のデジタイザを用いて設定される（Ｓ６０１）。続いて、ペイントの色指定がＳ６０２でなされる。次にＳ６０３でプレビュー機能が選択されると原稿台上に置かれた反射原稿が、読み取られ、上記ＣＭＹ系編集処理のディスプレイ（ＣＲＴ）表示の項で示された順で処理が実行され、Ｓ６０４でディスプレイ（ＣＲＴ）に表示される。オペレータにとって結果がＯＫの場合は他の編集処理の設定もしくは最終パラメータの設定もしくはプリントアウトがなされ、ＮＧの場合はＯＫとなるまで再設定がなされる（Ｓ６０５）。
【００５３】
（３）．フリーカラー処理
図６のフローチャートを用いて説明する。フリーカラーでは、まず全面モードかエリアモードかが指定される（Ｓ７０１）。エリアモードの場合、続いてエリアが例えば不図示のデジタイザを用いて設定される（Ｓ７０６）。Ｓ７０２ではフリーカラーの色指定がなされる。次にＳ７０３でプレビュー機能が選択されると原稿台上に置かれた反射原稿が、読み取られ、上記ＣＭＹ系編集処理のディスプレイ（ＣＲＴ）表示の項で示された順で処理が実行され、Ｓ７０４でディスプレイ（ＣＲＴ）に表示される。オペレータにとって結果がＯＫの場合は他の編集処理の設定もしくはプリントアウトがなされ、ＮＧの場合はＯＫとなるまで再設定がなされる（Ｓ７０５）。
【００５４】
〈色変換回路の説明〉
図９は色変換処理を説明する図である。
【００５５】
色変換処理部は検出部と変換部に分かれる。
【００５６】
検出部は３つのウィンドウコンパレータ（１１１０、１１１１、１１１２）、２つのＡＮＤゲート（１１１３、１１１５）及び前述のコンパレータとゲートを制御するレジスタ（１１０４〜１１０９、ＣＰＵ２４０によってセットされる）より構成される。動作としては、
・ｒｅｇ１≦入力ビデオＲ（１１０１）≦ｒｅｇ２
・ｒｅｇ３≦入力ビデオＧ（１１０２）≦ｒｅｇ４
・ｒｅｇ５≦入力ビデオＢ（１１０３）≦ｒｅｇ６
の時３つのウィンドウコンパレータ１１１０〜１１１２及び２つのＡＮＤゲート１１１３、１１１５の出力が“１”になり、ある特性色のみが検出される（ただしエリア信号２１２は“１”）。
【００５７】
一方変換部は３つのセレクタ（１１１９、１１２０、１１２１）及びレジスタ（１１１６〜１１１８）より構成される。ＡＮＤゲート（１１１５）の出力が“１”のときＣＰＵ２４０によってセットされるレジスタ（１１１６〜１１１８）、すなわち変換色が出力（１１２２〜１１２４）され、“０”の時には入力されたビデオ信号（１１０１〜１１０３）がそのまま出力される。
【００５８】
〈ペイント、フリーカラー回路の説明〉
図１０はフリーカラーペイント処理のブロック図である。
【００５９】
フリーカラーペイント回路は１色のビデオ信号に対して、乗算器（１２０５）とセレクタ（１２１０）、ＣＰＵ２４０によってセットされるレジスタ（１２０６、１２０７）より構成される。
【００６０】
動作としては、フリーカラー処理時は、マスキング、ＵＣＲ回路で生成されたＮＤ信号（Ｍ／３＋Ｃ／３＋Ｙ／３）とレジスタ３のデータ（１２０６、ユーザーによって設定された色によって決まる）が乗算器１２０５で乗算され、更にその出力がセレクタ１２１０で選択され、出力（１２１２）される。尚、原稿の一部にのみフリーカラー処理を行いたい時には処理したい所のみエリア信号２２４−１を“１”にすれば良い（但し、２２４−２は“０”にすること）。この時、このエリア信号の所のみＮＤ信号が出力される様にマスキングＵＣＲ回路は制御される（２２６に基づいて制御）。
【００６１】
ペイント処理時は、ＣＰＵ２４０でセットされるレジスタ１（１２０７）が選択されるようにセレクタ１２１０にエリア信号２２４−２が“１”になる様に制御される（但し２２４−１は“０”にすること）。
【００６２】
又、１２１３はＣ（シアン）のフリーカラーペイント回路、１２１６はＹ（イエロー）のフリーカラーペイント回路、１２１９はＫ（ブラック）のフリーカラーペイント回路で、それぞれ入力はＣｉｎ（１２０２）、Ｙｉｎ（１２０３）、Ｋｉｎ（１２０４）、出力はＣｏｕｔ（１２１５）、Ｙｏｕｔ（１２１８）、Ｋｏｕｔ（１２２１）、更にエリア信号２（２２４−２）、エリア信号３（２２４−３）、エリア信号４（２２４−４）で制御される。
【００６３】
尚、ＣＲＴに表示される時は２２４−１〜３が同時イネーブルになる様、制御される。
【００６４】
〈プレビュー処理部の説明〉
図７は読み取られた画像データが全ての処理回路を経由して得た最終イメージを、ＣＲＴ２１９に表示する為のプレビュー処理回路のブロック図である。
【００６５】
エッジ強調回路２１５から出力される最終画像データＹ１、Ｍ１、Ｃ１、Ｋ１の１００１―１〜４（ＹＭＣＫデータ各８ビット）は、まず２１７−１の３×４逆マスキングの補正回路にそれぞれ入力され、次式の演算が行なわれる。これは、図２の２１２マスキングＵＣＲ回路２２６の逆演算に相当する。
【００６６】
Ｙ２＝ａ１１＊Ｙ１＋ａ１２＊Ｍ１＋ａ１３＊Ｃ１＋ａ１４＊Ｋ１
Ｍ２＝ａ２１＊Ｙ１＋ａ２２＊Ｍ１＋ａ２３＊Ｃ１＋ａ２４＊Ｋ１
Ｃ２＝ａ３１＊Ｙ１＋ａ３２＊Ｍ１＋ａ３３＊Ｃ１＋ａ３４＊Ｋ１
前記ａ１１〜ａ３４の係数はＣＰＵ２４０からＣＰＵバス２４３を経由してそれぞれ任意の係数を設定することが可能である。この３×４逆マスキングの補正処理により、２１２のマスキングＵＣＲ処理に基づき、Ｙ１、Ｍ１、Ｃ１、Ｋ１の４色の濃度情報をＹ２、Ｍ２、Ｃ２の３色の濃度情報に変換することができる。
【００６７】
次に、逆対数変換の補正回路２１７−２で図２のＬＯＧ処理２０７の逆演算がＹ２、Ｍ２、Ｃ２の３色の濃度情報に対して施され、Ｒ１、Ｇ１、Ｂ１の３色のＣＣＤ２０１に基づく所定の色空間上の輝度情報が得られる。なお、ＬＯＧ処理２０７は、ＬＵＴで構成されており、前述同様ＣＰＵにより任意の補正データが設定できる。逆マスキングの補正処理及び逆ＬＯＧ処理によりプリンタ特性に依存したＹＭＣＫの濃度データから画像形成時に行われる各色処理の結果が反映された輝度データに変換されＣＲＴ等に表示可能な状態になる。しかしながら、実際に接続されるＣＲＴには数多くの種類があり色再現範囲もまちまちであるのでカラーＬＢＰ２１６の出力画像とＣＲＴ２１９の表示画像のカラーマッチングを行うためには、これを調整する手段が必要となる。即ち、Ｒ１，Ｇ１，Ｂ１輝度情報をＣＲＴの表示特性や観察条件等に基づき補正する必要がある。
【００６８】
２１７−３の３×３モニタ色補正は、モニタの発色特性に合うように画像データを補正して、モニタに表示される画像の色味と用紙に出力される画像の色味を概略一致させるためのもので、次式のマトリックス演算が行われる。
【００６９】
Ｒ２＝ｂ１１＊Ｒ１＋ｂ１２＊Ｇ１＋ｂ１３＊Ｂ１
Ｇ２＝ｂ２１＊Ｒ１＋ｂ２２＊Ｇ１＋ｂ２３＊Ｂ１
Ｂ２＝ｂ３１＊Ｒ１＋ｂ３２＊Ｇ１＋ｂ３３＊Ｂ１
実際に接続されるＣＲＴには数多くの種類があり色再現範囲もまちまちであり、使用環境の照明も様々であるため、モニタに表示される画像の色味と用紙に出力される画像の色味を常にマッチングさせるためには次のような要素を考慮する必要がある。
ａ）モニタの色温度
ｂ）ＣＲＴモニタの発色特性
ｃ）照明光
【００７０】
本実施例では、モニタの色温度を６５００Ｋまたは５０００Ｋに限定した。更に、モニタの発色特性を代表的なメーカ（ソニー、三菱、日立、日本電気、松下等）について調べた。また、照明光としては、通常、蛍光灯が用いられるので、蛍光灯において代表的な５種類、即ち、昼光色（６５００Ｋ）、昼白色（５０００Ｋ）、白色（４１５０Ｋ）、温白色（３５００Ｋ）及び電球色（３０００Ｋ）における色温度を測定した。
【００７１】
本実施例では上述の３つの要素の組み合わせに対応させて、３×３マトリックスを予め用意しておく。
【００７２】
ここでａ）及びｂ）がモニタの特性に依存し、ｃ）は観察条件に依存する。
【００７３】
そして図１９に示されるような操作部によってユーザが設定したａ）モニタの色温度、ｂ）モニタの発色特性及びｃ）照明光に基づく３×３マトリックスを用いて３×３モニタ色補正を行う。
【００７４】
以下に、３×３マトリックスの算出方法を説明する。
【００７５】
ＣＲＴモニタの三原色〔Ｒ〕，〔Ｇ〕，〔Ｂ〕それぞれについて、ｘｙ色度座標と輝度Ｙを測定する。測定した〔Ｒ〕のｘｙｚ色度座標を（ｘｒ，ｙｒ，ｚｒ）、〔Ｒ〕の単位量のＸＹＺ三刺激値の和をＳｒと表わす。ただしｚｒ＝１−ｘｒ−ｙｒであり、Ｓｒは未知数である。〔Ｇ〕，〔Ｂ〕も同様。すると、次式が成り立つ。ここで〔  〕は色刺激を表す記号である。
【００７６】
【数１】
2005328563.tif 000003
【００７７】
この式を、Ｒ＝Ｇ＝Ｂ＝１のとき、照明光の白色〔Ｗ〕（ｘｙ色度座標＝（ｘｗ，ｙｗ））が実現される（Ｘ＝ｘｗ／ｙｗ，Ｙ＝１，Ｚ＝（１−ｘｗ−ｙｗ）／ｙｗ）として解けば、Ｓｒ，Ｓｇ，Ｓｂが求まり、最終的に変換行列Ｍが求まる。
【００７８】
一方、スキャナのＲＧＢ色分解フィルターの各分光特性をあらかじめ測定することにより、スキャナの表色系からＸＹＺ表色系に変換する行列Ｓを得ておく。このとき、３×３マトリックスは行列演算（Ｍ−１×Ｓ）によって得られる。ただし、照明光の色温度とモニタの色温度が異なる場合は、フォン・クリースの色順応予測式を用いて、モニタに表示される画像の色味と用紙に出力される画像の色味が概略一致するように前記３×３マトリックスを補正している。
【００７９】
次に２１７−４のモニタガンマ補正は、ガンマ特性と呼ばれるモニタの非直線性を補正する回路で、次式の演算をＬＵＴによって実現している。
【００８０】
【数２】
2005328563.tif 000004
【００８１】
ただし、Ｒｏｆｆｓｅｔ，Ｇｏｆｆｓｅｔ，ＢｏｆｆｓｅｔはそれぞれＲ，Ｇ，Ｂのオフセット成分（輝度設定値ゼロのときの発光量、および照明光がモニタに反射して目に入る成分）である。
【００８２】
ところで、ガンマ特性はモニタの輝度を変えただけでも変化するし、視覚的に感じるガンマ特性は使用環境の照度等に依存することが知られているので、ガンマ値を固定することは好ましくない。そこで、概略１から３まで０．１刻みでガンマ値を変化させた複数の変換テーブルをＲＯＭ上にあらかじめ保持しておき、任意のガンマ値の補正データを選択することによって、ユーザーがモニタを見ながらガンマ値を最適な値に合わせ込むことができるようになっている。
【００８３】
よって、３×３モニタ色補正２１７−３でモニタ２１９の特性及び環境条件に基づき補正されたＲ２  Ｇ２  Ｂ２  に対して、ユーザがモニタガンマ補正を用いて微調整することができる。
【００８４】
なお、図１９において、濃度がガンマ値に対応する。
【００８５】
以上のように本実施例によれば、複写機の操作部からプレビュー処理に係るパラメータを設定することができる。
【００８６】
次に、２１７−５の表示編集回路は、モニタに表示する際にいろいろな編集を行ったり、モニタを制御する為の回路である。
【００８７】
図８は表示編集回路の詳細な説明図で、表示編集回路は大きく分けて、読みとられた画像を処理する部分と、その画像に枠とか文字といった付加情報を発生させる部分とからなっている。
【００８８】
モニタガンマ補正回路２１７−４によるモニタガンマ補正後のＲ３、Ｇ３、Ｂ３データは、それぞれ２１７−１１、２１７−１２、２１７−１３のメモリに接続され、ディスプレイコントローラ２１７−１０内の書込アドレス制御回路２１７−１７からのアドレス信号２１７−２１により、メモリの任意の位置から書込が行えるように、ＣＰＵバス２４３からＸ及びＹ方向のスタートアドレスとエンドアドレスを設定することができる。本実施例では、メモリのサイズはＣＲＴの表示サイズの９倍である６４０×４８０×９×（８ｂｉｔ）の３色分で構成されてる。
【００８９】
又、メモリに書き込む際に、もとの画像サイズに応じて縮小して書き込むことが可能でその倍率をＣＰＵ２４０より設定できる構成となっている。又、更に、表示する画像サイズが縦長なのか横長なのかに応じて、任意に回転することができる様に書込アドレス制御部２１７−１７によって制御される。この時、スタート／エンドアドレス以外、つまり画像が書き込まれない領域に関しては、前の画像が残っていたり、或いは表示色が固定となるため、この書込領域以外の部分を任意の色で表示できる様に表示色をＣＰＵ２４０より設定が行える様になっている。
【００９０】
次に、メモリに書き込まれた後、モニタに表示するためメモリのどの部分から読み出すかを指定するために、２１７−１８の読み出しアドレス制御部にＣＰＵより任意の座標指定を行うことが可能である。これは、後述する操作部のタッチパネルキーによりリアルタイムに表示が行える。又、本実施例のモニタの画像サイズは６４０×４８０ドットなので、メモリに記憶された画像全体を表示するためには画像を間引いて表示する必要があり、これもＣＰＵより間引き率を設定することが可能になっている。本実施例では後述するように、オペレータがメモリに記憶された画像全体を表示する全体モード、メモリに記憶された画像の４／９を表示する２倍モードとメモリに記憶された画像の１／９を表示する３倍モードの選択がおこなえる。
【００９１】
次に、メモリ２１７−２０は画像情報とは別に画像情報にいろいろな図形や文字を付加するためのメモリで、サイズは６４０×４８０×９×（４ｂｉｔ）の構成となっている。つまり、４面分の異なる図形や文字をそれぞれ独立に展開することができる。
【００９２】
本実施例では、これらの情報はＣＰＵ２４０より直接メモリ上に展開していたが、これらの情報を高速に展開できる例えば、ＡＧＤＣ（ＮＥＣ社製）のような専用コントローラを介してもよい。２１７−１９の読みだしアドレス制御回路は、前述した読みだしアドレス制御回路２１７−１８と同様に読み出しの開始位置を設定したり、間引き率を設定することができる。
【００９３】
次に、これらそれぞれのメモリから読み出されたデータは２１７−１４のセレクタに入力される。このセレクタでは、メモリ２１７−２０から読み出された信号に応じて、２１７−２４の信号が“Ｌ”の時は画像データ２１７−２５〜２７がそのまま出力され、“Ｈの時は、それぞれ４面分に応じたＲ、Ｇ、Ｂ（８ｂｉｔ）のデータが出力される。これらＲ、Ｇ、ＢのデータはＣＰＵ２４０より設定が可能で、各４面分に描かれた図形や文字に任意の色を付けることが可能になっている。
【００９４】
このセレクタ２１７−１４によって処理された信号は、２１７−１６のＤ／Ａコンバータでモニタ用のアナログ信号に変換され、モニタ２１９に最終画像が表示される。
【００９５】
〈操作部について〉
図１１は、操作部の外観図であり、５００００は置換キー、５０００１はコピースタートキー、５０００２はストップキー、５０００３は余熱キー、５０００４は液晶表示器及びタッチパネルからなる表示部である。
【００９６】
表示部５０００４の標準画面を図１２に示す。
【００９７】
図１２の標準画面の各表示において、５０１０１はコピーが可能な状態か否かを示している。５０１０２は設定コピー枚数、５０１０３は選択されている用紙サイズ、５０１０４は選択されているコピー倍率、５０１０５はプレビューモードを指示するためのタッチキーである。
【００９８】
操作者は、プレビュー処理を開始するに先立って、操作部から画像倍率、用紙サイズ、編集処理の指定を行い、プレビューモードキー５０１０５を押下する。表示部の画面は標準画面からプレビュー操作画面に遷移する。
【００９９】
図１３は、プレビュー操作画面の一例で、５０２０１はプレビューすべき原稿を読み取るためのプレビュースタートキー（画像読み込みキー）、５０２０２はＣＲＴ２１９に画像を表示するときの方向を設定する表示方向設定キー、５０２０３は画像のどの部分が表示されているかを示すエリアモニタ、５０２０４は画像のどの部分を表示させるかを設定する表示位置設定キー、５０２０５は表示倍率設定キー、５０２０６はエリア調整キーである。
【０１００】
操作者はまず原稿を原稿台もしくはフィーダ１１にセットし、表示方向設定キー５０２０２により原稿の表示方向（縦もしくは横）を設定する。表示方向は、通常では、原稿台の原稿突き当て位置からのイメージがＣＲＴ２１９の右上から表示される。また、表示方向設定キー５０２０２が押されると表示方向設定キーの表示が黒反転し、表示メモリ２１７−１１〜１３に９０度回転したイメージが書き込まれるため、原稿台の原稿突き当て位置のからのイメージが９０度回転してＣＲＴ２１９に表示される。
【０１０１】
操作者がプレビュースタートを指示する画像読込キー５０２０１を押下すると、フィーダーに原稿がセットされている場合はフィーダーから原稿が原稿台に送られ、さらに原稿検知モードが設定されている場合は、原稿台上に載置された原稿の原稿サイズ及び載置位置を検知するためにプリスキャンが行われる。その後、引き続き画像読み込みを行うスキャン動作が開始され、画像の読み込みが開始される。読み込まれた画像は、各種設定された編集処理が施された後プレビュー処理部２１７に編集処理後の画像信号が送られ、ＲＧＢ信号に変換された後、設定された表示方向、表示倍率そして原稿サイズ等からメモリ２１７−１１〜１３の領域に画像全体が入る最も効率的なサイズが計算されデータが書き込まれる。そしてこの画像メモリ２１７−１１〜１３のデータは、ディスプレイコントローラ２１７−１０によりＣＲＴにデータが転送されプレビュー画像が表示される。
【０１０２】
ところで、この画像メモリ２１７−１１〜１３のサイズは、ＣＲＴの表示サイズ６４０×４８０画素の９倍の１９２０×１４４０画素のサイズを有している。このためデータを画像メモリからＣＲＴに転送する際ディスプレイコントローラ２１７−１０によりＣＲＴの表示サイズと表示倍率設定キー５０２０５で設定される表示倍率から画像メモリ２１７−１１〜１３のデータを変倍してＣＲＴにデータを転送することが必要となる。
【０１０３】
図１７に具体例を示す。画像メモリ２１７−１１〜１３に５０６０１に示すデータが書き込まれている。このとき、表示倍率設定キーで表示倍率「全体」が設定されると画像メモリ２１７−１１〜１３の全体のデータ領域がディスプレイコントローラ２１７−１０により１／９に縮小されている５０６０２に示すようにＣＲＴに表示される。また、表示倍率設定キーの２倍キーが押下されると、画像メモリ２１７−１１〜１３の４／９の領域のデータがディスプレイコントローラにより１／４に縮小されて転送され５０６０３に示すようにＣＲＴに表示される。即ち、画像メモリ２１７−１１〜１３の一部が全体表示の時に比べ２倍に拡大されて表示される。また、３倍キーを押下した時も同様で、画像メモリ２１７−１１〜１３の１／９の領域を表示メモリに等倍で転送することで、５０６０４に示すように画像の一部が全体表示のときの３倍に拡大されてＣＲＴに表示される。
【０１０４】
また、表示倍率設定キーで２倍、３倍が設定されている時には、画像メモリ２１７−１１〜１３の一部がＣＲＴに表示されているためにメモリ領域の読み出し位置を変えてＣＲＴに転送すればＣＲＴに表示されていない部分を表示することができる。つまり、表示倍率設定キーで２倍が設定されているときは画像メモリの任意の１／４のサイスの画像がＣＲＴに表示されている。このとき、表示位置設定キー５０３０４の下方向矢印キーを押下する毎に、画像メモリの読み出し開始位置が下方向に４ドット分移動しその位置から１／４のサイズの画像がＣＲＴに転送されるため、ＣＲＴに表示されていなかった画面下部の画像を表示することができる。画像を移動させた場合にメモリのどの領域がＣＲＴに表示されているのかを操作者が認識できるようにエリアモニタ５０３０２に表示されている画像の領域が示される。
【０１０５】
〈プレビューによるエリア修正について〉
操作者がプレビューを行う前にエリア指定を設定している場合には、エリア処理されたプレビュー画像を表示することが出来る。この処理された画像のエリアの位置や大きさが所望のものとずれていたり、指定エリアに対して処理した画像の色味が微妙に異なっている場合はプレビュー画面上で指定エリアの位置・サイズの微調整や処理内容の修正を行うことが可能である。
【０１０６】
プレビューが行われた後操作者がエリア調整キー５０２０６を押下すると、表示部はエリア選択画面を表示する。エリア選択画面（図１４）に遷移するとエリア指定機能で設定した全エリアの外枠の大きさ、位置がコピー倍率や表示倍率や表示方向等に基づいて計算され、領域生成部２２９でエリアの外枠が生成され、そしてこの作成されたエリアの外枠は、エリア用画面メモリ１（以下プレーンメモリ１とする）上に展開され、さらにエリア用表示メモリ１（以下プレーンメモリ１′とする）に転送されてＣＲＴ上に表示される。このときエリアの外枠は、現在表示されているプレビュー画像上に表示される。上記のプレーンメモリとは、メモリ２１７−２０を分割したメモリである。
【０１０７】
またこのプレーンメモリ１は、ＣＲＴの画素サイズの数倍の大きさを持ち、画像倍率設定キーで設定されている倍率と表示領域設定キーで設定されている表示位置の値から、プレビュー画像と同様にプレーンメモリ１の転送領域と転送倍率が計算されプレーンメモリ１′に転送されるため、画像表示倍率設定と表示領域設定が変更されるごとにプレビュー画像に追従してエリア領域が再表示される。
【０１０８】
このエリア処理は、最大３０の処理内容が設定でき、この１つの処理ごとに最大１５のエリアを設定することが可能である。例えば、図１８は複数のエリア指定がされた時のプレビュー画像の一例で、エリア処理１として３つのエリア５０７０１（エリア１）、５０７０２（エリア２）、５０７０３（エリア３）にペイント処理を行い、エリア処理２として２つのエリア５０７０４（エリア４）、５０７０５（エリア５）に色変換処理を行う。
【０１０９】
このように複数のエリアが設定されている場合、操作者はエリア処理番号設定キーやエリア番号設定キーによりエリアを特定することが必要である。
【０１１０】
まず、図１３のエリア調整キー５０２０６を押下すると図１４の画面が表示される。エリア処理番号設定キー５０３０１のＵＰキー及びＤＯＷＮキーを押下することにより所望のエリア処理番号を選択する。エリア処理１が選択されたとすると、エリア処理に含まれるエリアの外枠（５０７０１、５０７０２、５０７０３）が同様の手順で計算され、領域生成部２２９よりエリア用画像メモリ２（以下プレーンメモリ２とする）上に形成される。これをエリア表示用メモリ２（以下プレーンメモリ２′とする）に表示倍率設定キーで指定した倍率により変倍して転送することでＣＲＴ上にプレーンメモリ１′で表示されている表示と異なる色を用いて表示する。プレーンメモリ１′とプレーンメモリ２′に設定されている表示色が異なるので、設定された複数のエリア処理の中から指定したエリア処理をＣＲＴ上で色により認識することが可能となる。さらにエリア処理番号設定キーの５０３０１のＵＰキーを選択することによってエリア処理番号２が指定されると、プレーンメモリ２上の書き込まれているエリア処理１に含まれるエリアの外枠が消去され、エリア処理番号２に含まれるエリアの外枠が書き込まれてＣＲＴ上に表示される。
【０１１１】
このように操作者は処理内容を変更したいエリア処理を特定し、設定修正キー５０３０３を押下すると図１５に示す画面が表示される。この画面で所望の処理内容を選択すればその処理内容がフィードバックされ処理内容を変更することが出来る。
【０１１２】
次にエリアのサイズを変更する場合には、まず前述の手順で変更したいエリアを含むエリア処理の番号をエリア処理番号設定キー５０３０１で選択し、そしてエリア番号選択キー５０３０２でエリアを選択する。例えば、エリア処理２のエリア５（５０７０５）を左に１ｃｍ移動させたい場合には、まずエリア処理番号設定キーでエリア処理２を選択する。次にエリア番号設定キーが押されるとまず、エリア処理２に含まれるエリア４（５０７０４）が選択される。このときエリア４の外枠が領域生成部２２９よりエリア用画像メモリ３（以下プレーンメモリ３とする）上に展開される。プレーンメモリ３に展開されたデータがエリア用表示メモリ３（以下プレーンメモリ３′とする）に転送されＣＲＴ上に表示される。このときＣＲＴに表示される色はプレーンメモリ１′とプレーンメモリ２′とは異なる色となる。各表示用メモリの優先順位は、プレーンメモリ１′＜プレーンメモリ２′＜プレーンメモリ３′の順であるために、操作者は修正したいエリア番号を覚えていなくてもＣＲＴ上で全エリア処理の中から指定したエリア処理が認識でき、さらにその中からエリアを認識することが出来る。
【０１１３】
次にエリア番号設定キーによりエリア５（５０７０５）が設定された場合は、プレーンメモリ３′上のエリア４（５０７０４）のエリアの外枠が消去され、エリア５の外枠をプレーンメモリ３に書き込みＣＲＴ上に表示する。
【０１１４】
このように操作者はエリアサイズを変更したいエリアを指定した後エリア修正キー５０３０４を押下すると、エリアサイズ変更画面が表示される。
【０１１５】
図１６はエリアサイズ変更画面を示している。図１６の各表示は、５０５０１はエリアの移動方向を指示するエリア修正キー、５０５０２はエリアの修正の種類を設定するエリア修正設定キー、５０５０３はエリアクリアキーである。
【０１１６】
例えばエリア５を左に移動させたい場合は、まずエリア修正設定キー５０５０２で移動を指定する。そして、エリア修正キー５０５０１の左矢印キーを押下する。このとき、プレーンメモリ３に表示されているエリア５の外枠がクリアされ、左に４画素分移動したエリアの外枠がプレーンメモリ３上に形成されプレーンメモリ３′に転送されＣＲＴ上に表示される。これにより指定したエリアがプレビュー画像上を移動することになる。しかもこの移動量はＣＰＵにフィードバックされるために、再度画像読み込みキーが押され、プレビューをやり直すと移動調整したエリアの位置でエリアが処理される。このようにプレビュー画像と指定エリアを比較しながらエリアを移動させることができる。また、エリアサイズを変更する場合も同様にエリア修正設定キー（５０５０２）で拡大や縮小を設定し、エリア修正キー５０５０１を押し、エリアを任意のサイズを設定する。エリアは押下されたキーの方向に伸縮する。
【０１１７】
以上のようにエリアのサイズや位置、内容をプレビュー画像と比較しながら修正し、操作者が所望する画像がＣＲＴに表示させることができたなら、スタートキー５０００１を押しプリンタで画像形成する。
【０１１８】
（変形例）
以下に図２０を用いて上述の実施例の変形例を説明する。
【０１１９】
変形例では、操作部からユーザが画像形成における画像処理モードをマニュアルで選択できる。
【０１２０】
画像処理モードとしては、例えば以下の様なモードがある。
【０１２１】
画像の種類に基づいたモード）
（ｉ）文字モード：文字のみの原稿を対象としたモードであり、黒を忠実に再現する。
（ｉｉ）印刷写真モード：写真等の中間調が多い原稿を対象としたモードであり、中間調を良好に再現する。
【０１２２】
ユーザの用途に応じたモード）
（ｉｉｉ）下地除去モード：原稿の下地を除去する。
【０１２３】
図２０に示した画像処理装置において、画像の種類に基づいたモード（（ｉ）文字モード、（ｉｉ）印刷写真モード）は、マスキングＵＣＲ２１２′で行われるマトリクス係数の値をＣＰＵ２４０が変化させる。
【０１２４】
一方、（ｉｉｉ）下地除去モードはＬＯＧ′２０７で用いられるＬＵＴをＣＰＵ２４０が変化させる。
【０１２５】
即ち、図２０に示した画像処理装置では、操作部２４４によって、指定される画像処理モードによってＬＯＧ２０７′とマスキングＵＣＲ２１２′における処理が変化する。
【０１２６】
したがって、プレビュー処理部２１７における３×４逆マスキング２１７−１′及逆ＬＯＧ２１７−２′は出力画像と表示画像の色をマッチングさせるために、画像処理モードに基づき変化するマスキングＵＣＲ２１２′及びＬＯＧ２０７′に連動して変化する。
【０１２７】
以上説明した様に変形例によれば画像処理モードに係わらず、出力画像と表示画像の色のマッチングを行うことができる。
【０１２８】
即ち、プレビュー画像で指定された画像処理モードで処理され得られる最終画像を確認することができる。
【０１２９】
なお、上述の各実施例において、操作部によって設定されるモニタの色温度、ＣＲＴの発色特性、照明光に対する条件を３×３モニタ色補正２１７−３のマトリクス係数に反映させていたが、本発明はこれに限られない。
【０１３０】
即ち、各条件に対応した補正回路を各々独立に設け、各設定条件に基づいて各補正回路の係数を変化させるようにしても構わない。
【図面の簡単な説明】
【０１３１】
【図１】画像形成装置の概観の一例を示す図。
【図２】画像処理装置の構成の一例を示す図。
【図３】編集処理の全体の流れの一例を示す図。
【図４】色変換処理の流れの一例を示す図。
【図５】ペイント処理の流れの一例を示す図。
【図６】フリーカラー処理の流れの一例を示す図。
【図７】プレビュー処理部の構成の一例を示す図。
【図８】表示編集回路の構成の一例を示す図。
【図９】色変換回路の構成の一例を示す図。
【図１０】フリーカラーペイント回路の構成の一例を示す図。
【図１１】操作部の全体の一例を示す図。
【図１２】操作画面の表示の一例を示す図。
【図１３】操作画面の表示の一例を示す図。
【図１４】操作画面の表示の一例を示す図。
【図１５】操作画面の表示の一例を示す図。
【図１６】操作画面の表示の一例を示す図。
【図１７】プレビュー表示の一例を示す図。
【図１８】プレビュー表示の一例を示す図。
【図１９】操作画面の表示の一例を示す図。
【図２０】画像処理装置の構成の一例を示す図。
【図２１】従来の画像処理装置の構成を示す図。
【図１】
2005328563.tif 000005
【図２】
2005328563.tif 000006
【図３】
2005328563.tif 000007
【図４】
2005328563.tif 000008
【図５】
2005328563.tif 000009
【図６】
2005328563.tif 000010
【図７】
2005328563.tif 000011
【図８】
2005328563.tif 000012
【図９】
2005328563.tif 000013
【図１０】
2005328563.tif 000014
【図１１】
2005328563.tif 000015
【図１２】
2005328563.tif 000016
【図１３】
2005328563.tif 000017
【図１４】
2005328563.tif 000018
【図１５】
2005328563.tif 000019
【図１６】
2005328563.tif 000020
【図１７】
2005328563.tif 000021
【図１８】
2005328563.tif 000022
【図１９】
2005328563.tif 000023
【図２０】
2005328563.tif 000024
【図２１】
2005328563.tif 000025